(57)【要約】【課題】ナット部を有しないエルボを配管路に設けられたネジ部にスパナを用いることなく締結するためのエルボ用ソケットを提供する。【解決手段】ソケット１０は、上部側の頭部１０ａと傾斜部１０ｃに続く胴部１０ｂとから構成される。頭部には回動用工具の係合部であって、四角状の穴が形成されている。係合部の回転中心軸ｃ１と上下方向のエルボ部分の軸中心ｃ２とは距離ｅだけ偏芯して形成されている。ソケットのエルボ収納空間ＳＰの底面側からみた胴部の内壁のうち上下方向のエルボ部分の外周部に当接するアーチ状の内壁部１６が形成されている。その両端部に続く一対の平行平面として形成された内壁部が形成されている。この内壁部にはエルボの屈曲部に形成されている一対の平行な平坦部の一部分が当接するようになっている。【選択図】図１
2009233771.tif 000002
【特許請求の範囲】
【請求項１】
回動用工具との係合部を形成した頭部と、同頭部に続くエルボ収納空間を有する胴部とからなるエルボ用ソケットであって、
前記エルボ収納空間を構成する胴部の内壁として、前記胴部の底側から見て前記エルボの外周面に当接する第１のアーチ部と、同第１のアーチ部の各端部に続く第１の平行平面が形成されており、さらに、前記胴部の側方から見て前記エルボの外周面に当接する第２のアーチ部と、同第２のアーチ部の各端部に続く第２の平行平面が形成されており、前記第１、第２の平行平面は前記エルボの屈曲部外側面に形成されている一対の平行平坦面に当接することを特徴とするエルボ用ソケット。
【請求項２】
前記エルボを前記エルボ収納空間に収納した状態で当該エルボを前記胴部に保持する保持手段を備えたことを特徴とする請求項1に記載されたエルボ用ソケット。
【請求項３】
前記保持手段は、前記胴部に形成したネジ穴に取付け可能な止めネジであることを特徴とする請求項２に記載されたエルボ用ソケット。
【請求項４】
前記止めネジはその内部に、エルボ外側面を押圧するよう作用するバネを収納したことを特徴とする請求項３に記載されたエルボ用ソケット。
【請求項５】
前記ソケットの頭部に形成された係合部の回動中心軸は、前記胴部底側から見たエルボの中心軸から所定距離だけ偏心して形成されていることを特徴とする請求項１乃至４のいずれか1項に記載されたエルボ用ソケット。
【発明の詳細な説明】
【技術分野】
【０００１】
本発明は、エルボ用のソケットに係り、特にナット部を有しない金属製エルボのためのソケットに関する。
【背景技術】
【０００２】
ナット部を有しない金属製エルボを配管路に設けたネジ部へ取付ける場合、従来の方法では、エルボ屈曲部の外側面に形成された一対の平行な平坦面にスパナを掛け、同スパナを回転させることにより前記ネジ部にねじ込ませていた。しかしこのスパナ掛けによる方法では、エルボの取付け位置近傍に壁などが配置されている場合、スパナを回転させることができない。すなわち、ある程度の範囲で回転可能ではあっても、ナット部を有しないエルボではスパナとエルボの相対的回転姿勢を変えることができないからである。さらに、上記平坦面にスパナを掛けた状態でスパナを回すとき平坦面端部が潰れスパナがすべり易い。その理由は、スパナ掛けの際、コの字形のスパナ頭部の爪部内面と接触し回転トルクを受容する前記エルボ平坦面の幅が小さいことが挙げられる。
【０００３】
一方、ナット部を有するエルボ、通常この種のタイプは樹脂製のエルボとして市販されているものであるが、この種のエルボでも取付位置によってスパナを回転させるに必要十分な空間を確保できない場合には、スパナ掛けのナット部位置を修正してエルボとの相対姿勢を変化させながらスパナを回転させるため作業が煩雑になるという難点がある。
ナット部を有するエルボに対する上記の難点を解決するものとして、エルボのナット部に直接スパナ掛けをしない方式が提案されている。（特許文献１）
【０００４】
特許文献１の図１、図４（Ａ）、図８に示されるように、管継手締結用工具１０は、頭部に角穴１１が形成され、エアジョイント１を収納する開放部１４が設けられている。さらに、管継手締結用工具１０の底部には多角形穴１２が形成されており、エアジョイント１に形成されているナット部４と係合するようになっている。
【０００５】
特許文献１の段落０００８には、「図３及び図４は本発明の管継手締結用工具を用いてエルボ型のエアジョイントをレギュレータやバルブ等に締結する場合の使用例を示す平面図である。先ず、エアジョイント１のおねじ２をレギュレータ５のめねじに合わせ、管継手締結用工具１０の開放部１４からエアジョイント１の曲り部分３が突き出るように、管継手締結用工具１０をその多角形穴１２が形成されている他端からエアジョイント１へ挿入する。そして、管継手締結用工具１０の多角形穴１２にエアジョイント１のナット部４を挿入したら（図３（Ａ））、管継手締結用工具１０の角穴１１にラチェット型のソケットレンチ用ハンドル７の角ドライバを嵌合し（図３（Ｂ））、ソケットレンチ用ハンドル７を揺動させてエアジョイント１をレギュレータ５に締結する。」と記載されているように、管継手締結用工具１０をその多角形穴１２が形成されている他端からエアジョイント１へ挿入するようになっており、多角形穴１２の上側の内壁は挿入時にエアジョイント１と接触しないように形成されている。
【特許文献１】特開平８−７１９３１
【発明の開示】
【発明が解決しようとする課題】
【０００６】
しかしながら、特許文献１の管継手締結用工具１０では、エアジョイント１にナット部４を備えていることが必須要件であり、ナット部を有しない金属製エルボに適用することはできない。
【０００７】
本願の発明者は上述の問題点を解決すべく、鋭意研究、検討、試作をおこなった結果、エルボの屈曲部側面に形成されている一対の平坦面と接する胴部を有するソケットにより前記の問題が基本的に解決できることを突き止めた。
【０００８】
したがって、本発明の目的は、ナット部を有しないエルボを配管路に設けられたネジ部にスパナを用いることなく締結するためのエルボ用ソケットを提供することにある。
【課題を解決するための手段】
【０００９】
前記目的を達成するための、本発明によるエルボ用ソケットは、回動用工具との係合部を形成した頭部と、同頭部に続くエルボ収納空間を有する胴部とからなるエルボ用ソケットであって、
前記エルボ収納空間を構成する胴部の内壁として、前記胴部の底側から見て前記エルボの外周面に当接する第１のアーチ部と、同第１のアーチ部の各端部に続く第１の平行平面が形成されており、さらに、前記胴部の側方から見て前記エルボの外周面に当接する第２のアーチ部と、同第２のアーチ部の各端部に続く第２の平行平面が形成されており、前記第１、第２の平行平面は前記エルボの屈曲部外側面に形成されている一対の平行平坦面に当接することを特徴とする。
【００１０】
その場合、前記エルボを前記エルボ収納空間に収納した状態で当該エルボを前記胴部に保持する保持手段を備えて構成することができる。
さらにその場合、前記保持手段は、前記胴部に形成したネジ穴に取付け可能な止めネジで構成することができる。
その場合、前記止めネジはその内部に、エルボ外側面を押圧するよう作用するバネを収納して構成することができる。
また、前記ソケットの頭部に形成された係合部の回動中心軸は、前記胴部底側から見たエルボの中心軸から所定距離だけ偏心するよう構成することが好ましい。
【発明の効果】
【００１１】
請求項１に記載された本発明のエルボ用ソケットは、回動用工具との係合部を形成した頭部と、同頭部に続くエルボ収納空間を有する胴部とからなるエルボ用ソケットであって、前記エルボ収納空間を構成する胴部の内壁として、前記胴部の底側から見て前記エルボの外周面に当接する第１のアーチ部と、同第１のアーチ部の各端部に続く第１の平行平面が形成されており、さらに、前記胴部の側方から見て前記エルボの外周面に当接する第２のアーチ部と、同第２のアーチ部の各端部に続く第２の平行平面が形成されており、前記第１、第２の平行平面は前記エルボの屈曲部外側面に形成されている一対の平行平坦面に当接するよう構成したので、スパナを用いることなくエルボを配管路にネジ結合することが可能である。
【００１２】
請求項２に記載された本発明のエルボ用ソケットは、エルボを前記エルボ収納空間に収納した状態で当該エルボを前記胴部に保持する保持手段を備えているので、前述した効果に加え、さらに、予めエルボをソケットに収納保持した状態にすることができ、特許文献１のように、エルボを配管路のネジ部に先に取り付けた後でソケットすなわち、管継手締結用工具をその多角形穴が形成されている他端からエルボ（エアジョイント）へ挿入するといった２段階の作業を都度する必要がない。
請求項３に記載された本発明のエルボ用ソケットは、保持手段として前記胴部に形成したネジ穴に取付け可能な止めネジを使用するので簡単な構成であり、コストも低い。
請求項４に記載された本発明のエルボ用ソケットは、保持手段である止めネジ内にバネを収納し、当該バネの弾発力を利用してエルボ外周面を押圧しているので、エルボへの押圧力を一定にすることができる。
【００１３】
請求項５に記載された本発明のエルボ用ソケットは、ソケットの頭部に形成された係合部の回動中心軸が、前記胴部底側から見たエルボの中心軸から所定距離だけ偏心して形成されているので、係合部でソケット頭部に与える回転トルクを小さくすることが可能となり、ネジ締結作業の操作性向上を計ることができる。
【発明を実施するための最良の形態】
【００１４】
図１は本発明の実施の形態に基づく実施例のソケットであって、同図１の（ａ）は正面図、（ｂ）は、（ａ）の正面図を上方から見た平面図、（ｃ）は底面図、（ｄ）は左側面図である。
【００１５】
図１（ａ）において、ソケット１０は、上部側の頭部１０ａと傾斜部１０ｃに続く胴部１０ｂとから構成される。参照符号１２は、トルクレンチ等の回動用工具の係合部であって、四角状の穴で形成されている。なお、図１（ｂ）に示される参照符号１２ａは四角状の穴１２を加工する際の下穴である。参照符号ｃ１は下穴１２ａの中心軸であって係合部１２の回転中心軸である。参照符号ＳＰはソケット１０に収納保持されるエルボの収納空間である。参照符号ｃ２は前記収納空間に収納されたエルボの上下方向に配置された上下方向のエルボ部分の中心軸を示す。図示のように、中心軸ｃ１とｃ２は距離ｅだけ偏芯して形成されている。
【００１６】
底面図の図１（ｃ）に示されるように、参照符号ＳＰ１は収納空間ＳＰの底面側からみた開口である。参照符号１６は胴部１０ｂの内壁のうち上下方向のエルボ部分の外周部に当接するアーチ状の内壁部である。参照符号１８は、アーチ状の内壁部１６の両端部に続く一対の平行平面として形成された内壁部であって、この内壁部１８には前記エルボの屈曲部に形成されている一対の平行な平坦部の一部分が当接するようになっている。参照符号１４は止めネジであって、その中心穴にバネが収納され先端に球体１４ａを保持した構造の６角穴ボールプランジャーとして市販されているものである。
【００１７】
側面図の図１（ｄ）に示されるように、ソケット１０の収納空間を横方向から見た場合図１（ｃ）と同様な開口ＳＰ２が形成されている。参照符号２０は胴部１０ｂの内壁のうち水平方向のエルボ部分の外周部に当接するアーチ状の内壁部である。参照符号２２は、アーチ状の内壁部２０の両端部に続く一対の平行平面として形成された内壁部であって、この内壁部２２には前記エルボの屈曲部に形成されている一対の平行な平坦部の一部分が当接するようになっている。中心軸ｃ３はｃ１とｃ２が重なった状態を示している。
【００１８】
図２は、ソケット１０のエルボ収納空間ＳＰの概観形状を示す画像図である。
【００１９】
図３は、組付け前のソケットとエルボを示しており、エルボの屈曲部（直角）の側面側にはスパナ掛け用の平坦部が形成されている。この平坦部は反対側の側面にも形成されており両平坦部は平行である。エルボのネジ部はテーパーネジである。
【００２０】
図４は、組付け後のソケットとエルボを示しており、上下方向のエルボ部分のテーパーネジ部がソケットの底面から下方へ突き出ている。なお、止めネジ１４は図の左方側に配置されているので胴部に隠れている。
【００２１】
以上、本発明の好適な実施例について説明したが、本発明はこれら例示された内容に限定されるものではなく、当業者であればそれらに基づいて種々の変形例を実施することが可能である。例えば、アーチ部はエルボ外周面が曲面の場合に限定されず、多角形例えば六角形の場合でもよい。
【図面の簡単な説明】
【００２２】
【図１】本発明によるエルボ用ソケットの図であって、（ａ）は、正面図、（ｂ）は、（ａ）の上方から見た平面図、（ｃ）は底面図、（ｄ）は左側面図である。
【図２】本発明によるエルボ用ソケットのエルボ収納空間の概観形状を示す画像図である。
【図３】組付け前の、本発明によるエルボ用ソケットとエルボを示す画像図である。
【図４】本発明によるエルボ用ソケット内に収納されたエルボを示す画像図である。
【符号の説明】
【００２３】
１０      ソケット
１０ａ    頭部
１０ｂ    胴部
１０ｃ    傾斜部
１２      係合部
１２ａ    下穴
１４      止めネジ
１４ａ    球体
１６、２０    アーチ部
１８、２２    平行平面の内壁
ＳＰ      エルボ収納空間
ＳＰ１、ＳＰ２    開口部
ｃ１、ｃ２、ｃ３    中心軸
ｅ        偏心距離
【図１】
2009233771.tif 000003
【図２】
2009233771.tif 000004
【図３】
2009233771.tif 000005
【図４】
2009233771.tif 000006